(57)【要約】【課題】  測定レンジの状態の如何にかかわらず地絡を発生させることなく抵抗及び電圧を良好に測定し得るテスターを提供する。【解決手段】    測定レンジ１が抵抗レンジになっていることを検出する一方、抵抗レンジである場合で且つ被測定回路Ｆに測定用リード線１ａ，１ｂを接触させた状態で所定電圧以上の電圧が検出された場合には、高インピーダンス要素であるコイルＶを測定用リード線１ａ，１ｂ間に接続するとともに警報装置３２を動作させ、前記抵抗レンジである場合に被測定回路Ｆに測定用リード線１ａ，１ｂを接触させたことを検出するとともに、コイルＶが消勢され、且つ被測定回路Ｆと測定用リード線１ａ，１ｂとの接触が検出されていることを条件として被測定回路Ｆの抵抗を測定する抵抗測定回路を形成する。【選択図】  図１
2008281371.tif 000002
【特許請求の範囲】
【請求項１】
２本の測定用リード線を被測定回路にそれぞれ接触させることにより前記被測定回路の少なくとも電圧及び抵抗を測定し得るように構成したテスターであって、
前記電圧乃至抵抗の測定モードを選択する測定レンジと、
前記測定レンジが抵抗を測定するための抵抗レンジになっていることを検出する抵抗レンジ検出手段と、
前記抵抗レンジであることが検出されている場合において、前記被測定回路に測定用リード線をそれぞれ接触させた状態で前記測定用リード線間に所定の電圧以上の電圧が印加されている場合には、高インピーダンス要素が前記測定用リード線間に接続されるように動作するとともに警報手段を動作させて当該状態を告知する電圧検出手段と、
前記抵抗レンジであることが検出されている場合において、前記電圧検出手段が不動作の場合には前記被測定回路の抵抗を測定する抵抗測定回路が形成されるように動作するとともに、前記電圧検出手段を回路から切離す抵抗測定選択手段とを有することを特徴とするテスター。
【請求項２】
請求項１に記載するテスターにおいて、
前記抵抗レンジ検出手段は、前記測定レンジが抵抗レンジを選択している場合にオン状態となるスイッチ手段を有することを特徴とするテスター。
【請求項３】
請求項１又は請求項２に記載するテスターにおいて、
前記電圧検出手段は、電圧検出用リレーを有しており、この電圧検出用リレーのコイルに前記被測定回路の電圧が印加された場合に前記コイルが付勢されて前記高インピーダンス要素として機能するとともに前記警報手段を動作させるように構成したことを特徴とするテスター。
【請求項４】
請求項１乃至請求項３の何れか一つに記載するテスターにおいて、
前記抵抗測定選択手段は、前記抵抗レンジであることが検出されている場合であって、前記電圧検出手段が不動作の場合にこのことを表す抵抗測定モード信号を送出する論理回路と、前記抵抗測定モード信号に基づき抵抗測定用電源により付勢されて前記抵抗測定回路を形成するとともにこの状態を保持し、同時に前記電圧検出手段を回路から切離す抵抗測定回路接続用リレーとを有することを特徴とするテスター。
【請求項５】
２本の測定用リード線を被測定回路にそれぞれ接触させることにより前記被測定回路の少なくとも電圧及び抵抗を測定し得るように構成したテスターであって、
前記電圧乃至抵抗の測定モードを選択する測定レンジと、
前記測定レンジが抵抗を測定するための抵抗レンジになっていることを検出する抵抗レンジ検出手段と、
前記抵抗レンジであることが検出されている場合において、前記被測定回路に測定用リード線をそれぞれ接触させた状態で前記測定用リード線間に所定の電圧以上の電圧が印加されている場合には、高インピーダンス要素が前記測定用リード線間に接続されるように動作するとともに警報手段を動作させて当該状態を告知する電圧検出手段と、
内部電源を具備し、前記抵抗レンジであることが検出されている場合においては前記被測定回路に電圧が印加されていない場合であっても前記内部電源の電圧に基づき前記被測定回路に前記測定用リード線をそれぞれ接触させたことを検出する接触判定手段と、
前記抵抗レンジであることが検出されている場合において、前記電圧検出手段が不動作で且つ前記接触判定手段が前記被測定回路と前記測定用リード線との接触を検出していることを条件として前記被測定回路の抵抗を測定する抵抗測定回路が形成されるように動作するとともに、前記電圧検出手段及び前記接触判定手段を回路から切離す抵抗測定選択手段とを有することを特徴とするテスター。
【請求項６】
請求項５に記載するテスターにおいて、
前記接触判定手段は、内部電源と、これに直列に接続された最小動作電圧が前記内部電源の出力電圧よりも低い接触判定用リレーとを有することを特徴とするテスター。
【請求項７】
請求項６に記載するテスターにおいて、
前記抵抗測定選択手段は、前記抵抗レンジであること及び前記接触判定用リレーが付勢されていることが検出されている場合であって、前記電圧検出手段が不動作の場合にこのことを表す抵抗測定モード信号を送出する論理回路と、前記抵抗測定モード信号に基づき抵抗測定用電源により付勢されて前記抵抗測定回路を形成するとともにこの状態を保持し、同時に前記電圧検出手段及び前記内部電源を回路から切離す抵抗測定回路接続用リレーとを有することを特徴とするテスター。
【請求項８】
請求項５乃至請求項７の何れか一つに記載するテスターにおいて、
前記抵抗レンジ検出手段は、前記測定レンジが抵抗レンジを選択している場合にオン状態となるスイッチ手段を有することを特徴とするテスター。
【請求項９】
請求項５乃至請求項８の何れか一つに記載するテスターにおいて、
前記電圧検出手段は、最小動作電圧が前記内部電源の出力電圧よりも高い電圧検出用リレーを有しており、この電圧検出用リレーのコイルに前記最低動作電圧以上の電圧が前記被測定回路から印加された場合に前記電圧検出用リレーのコイルが付勢されて前記高インピーダンス要素として機能するとともに前記警報手段を動作させるように構成したことを特徴とするテスター。
【発明の詳細な説明】
【技術分野】
【０００１】
本発明はテスターに関し、特に少なくとも被測定回路の電圧及び抵抗を検出する場合に適用して有用なものである。
【背景技術】
【０００２】
被測定回路の電圧、電流及び抵抗を一台で検出し得る測定器としてテスターが知られている。この種のテスターは、一般に電圧、電流乃至抵抗の何れかの測定モードを選択するための測定レンジを有している。かかる測定レンジの選択操作により電圧測定回路、電流測定回路及び抵抗測定回路の何れかを選択して所定の測定を行うようになっている。ここで、電圧測定回路は被測定回路の所定部位間の電圧を計測する回路であるため、高インピーダンス回路となっており、電流測定回路及び抵抗測定回路は測定のための電力消費を可及的に低減すべく低インピーダンス回路となっている。また、抵抗測定回路は被測定回路の抵抗測定部位に測定電流を供給するための抵抗測定用電源を内蔵している。
【０００３】
なお、簡易な構成により、対地間抵抗を広範囲にわたって計測することができるアーステスターを開示するものとして特許文献１が存在する。
【０００４】
【特許文献１】特開２００６−１７７７６５号公報
【発明の開示】
【発明が解決しようとする課題】
【０００５】
しかしながら、上述の如き従来技術に係るテスターにおいては、測定レンジが抵抗レンジのまま、被測定回路の電圧を誤って測定した場合には地絡を生起する場合がある。すなわち、被測定回路に電圧が印加されている状態で、テスターの測定用リード線を介して抵抗測定回路と接地間の電圧を測定した場合には、前記抵抗測定回路は低インピーダンスであるためテスターを介して被測定回路が接地されてしまう。このとき、被測定回路に地絡検出リレーが設けられている場合にはこの地絡検出リレーが動作する。
【０００６】
ちなみに、被測定回路の検査の際には、適宜スイッチを入り切りしながら色々な条件を作り出して所定部位の電圧、抵抗を測定するため、測定レンジを切替えるのを忘れたまま間違った測定をしてしまう可能性がある。
【０００７】
抵抗レンジのまま電圧が印加されている被測定回路にテスターの測定用リード線を接触させた場合に警報を発するような構成にした場合でも同様に抵抗測定回路が形成されていればこれを介して地絡が発生してしまう。一方、抵抗レンジで抵抗測定回路が選択されている場合において、被測定回路にテスターの測定用リード線を接触させた場合には、所定の抵抗測定を支障なく行うことができるような構成となっていなければならない。
【０００８】
本発明は、上記従来技術に鑑み、電圧が印加された状態の被測定回路に抵抗レンジのテスターの測定リード線を接触させた場合でも、地絡を発生させることなく警報を発することができるばかりでなく、所定の抵抗測定及び電圧測定も良好に行うことができるテスターを提供することを目的とする。
【課題を解決するための手段】
【０００９】
上記目的を達成するための本発明の第１の態様は、
２本の測定用リード線を被測定回路にそれぞれ接触させることにより前記被測定回路の少なくとも電圧及び抵抗を測定し得るように構成したテスターであって、
前記電圧乃至抵抗の測定モードを選択する測定レンジと、
前記測定レンジが抵抗を測定するための抵抗レンジになっていることを検出する抵抗レンジ検出手段と、
前記抵抗レンジであることが検出されている場合において、前記被測定回路に測定用リード線をそれぞれ接触させた状態で前記測定用リード線間に所定の電圧以上の電圧が印加されている場合には、高インピーダンス要素が前記測定用リード線間に接続されるように動作するとともに警報手段を動作させて当該状態を告知する電圧検出手段と、
前記抵抗レンジであることが検出されている場合において、前記電圧検出手段が不動作の場合には前記被測定回路の抵抗を測定する抵抗測定回路が形成されるように動作するとともに、前記電圧検出手段を回路から切離す抵抗測定選択手段とを有することを特徴とするテスターにある。
【００１０】
本発明の第２の態様は、
上記第１の態様に記載するテスターにおいて、
前記抵抗レンジ検出手段は、前記測定レンジが抵抗レンジを選択している場合にオン状態となるスイッチ手段を有することを特徴とするテスターにある。
【００１１】
本発明の第３の態様は、
上記第１又は第２の態様に記載するテスターにおいて、
前記電圧検出手段は、電圧検出用リレーを有しており、この電圧検出用リレーのコイルに前記被測定回路の電圧が印加された場合に前記コイルが付勢されて前記高インピーダンス要素として機能するとともに前記警報手段を動作させるように構成したことを特徴とするテスターにある。
【００１２】
本発明の第４の態様は、
上記第１乃至第３の態様の何れか一つに記載するテスターにおいて、
前記抵抗測定選択手段は、前記抵抗レンジであることが検出されている場合であって、前記電圧検出手段が不動作の場合にこのことを表す抵抗測定モード信号を送出する論理回路と、前記抵抗測定モード信号に基づき抵抗測定用電源により付勢されて前記抵抗測定回路を形成するとともにこの状態を保持し、同時に前記電圧検出手段を回路から切離す抵抗測定回路接続用リレーとを有することを特徴とするテスターにある。
【００１３】
本発明の第５の態様は、
２本の測定用リード線を被測定回路にそれぞれ接触させることにより前記被測定回路の少なくとも電圧及び抵抗を測定し得るように構成したテスターであって、
前記電圧乃至抵抗の測定モードを選択する測定レンジと、
前記測定レンジが抵抗を測定するための抵抗レンジになっていることを検出する抵抗レンジ検出手段と、
前記抵抗レンジであることが検出されている場合において、前記被測定回路に測定用リード線をそれぞれ接触させた状態で前記測定用リード線間に所定の電圧以上の電圧が印加されている場合には、高インピーダンス要素が前記測定用リード線間に接続されるように動作するとともに警報手段を動作させて当該状態を告知する電圧検出手段と、
内部電源を具備し、前記抵抗レンジであることが検出されている場合においては前記被測定回路に電圧が印加されていない場合であっても前記内部電源の電圧に基づき前記被測定回路に前記測定用リード線をそれぞれ接触させたことを検出する接触判定手段と、
前記抵抗レンジであることが検出されている場合において、前記電圧検出手段が不動作で且つ前記接触判定手段が前記被測定回路と前記測定用リード線との接触を検出していることを条件として前記被測定回路の抵抗を測定する抵抗測定回路が形成されるように動作するとともに、前記電圧検出手段及び前記接触判定手段を回路から切離す抵抗測定選択手段とを有することを特徴とするテスターにある。
【００１４】
本発明の第６の態様は、
上記第５の態様に記載するテスターにおいて、
前記接触判定手段は、内部電源と、これに直列に接続された最小動作電圧が前記内部電源の出力電圧よりも低い接触判定用リレーとを有することを特徴とするテスターにある。
【００１５】
本発明の第７の態様は、
上記第６の態様に記載するテスターにおいて、
前記抵抗測定選択手段は、前記抵抗レンジであること及び前記接触判定用リレーが付勢されていることが検出されている場合であって、前記電圧検出手段が不動作の場合にこのことを表す抵抗測定モード信号を送出する論理回路と、前記抵抗測定モード信号に基づき抵抗測定用電源により付勢されて前記抵抗測定回路を形成するとともにこの状態を保持し、同時に前記電圧検出手段及び前記内部電源を回路から切離す抵抗測定回路接続用リレーとを有することを特徴とするテスターにある。
【００１６】
本発明の第８の態様は、
上記第５乃至第７の態様の何れか一つに記載するテスターにおいて、
前記抵抗レンジ検出手段は、前記測定レンジが抵抗レンジを選択している場合にオン状態となるスイッチ手段を有することを特徴とするテスターにある。
【００１７】
本発明の第９の態様は、
上記第５乃至第８の態様の何れか一つに記載するテスターにおいて、
前記電圧検出手段は、最小動作電圧が前記内部電源の出力電圧よりも高い電圧検出用リレーを有しており、この電圧検出用リレーのコイルに前記最低動作電圧以上の電圧が前記被測定回路から印加された場合に前記電圧検出用リレーのコイルが付勢されて前記高インピーダンス要素として機能するとともに前記警報手段を動作させるように構成したことを特徴とするテスターにある。
【発明の効果】
【００１８】
本発明によれば、抵抗レンジのまま電圧が印加されている被測定回路に測定用リード線を接触させても電圧検出手段が動作して、前記測定用リード線の間に高インピーダンス要素が接続されるので、地絡状態となることはない。また、このときには警報手段も動作させられるので、抵抗レンジのまま電圧が印加されている被測定回路に測定用リード線を接触させている状態であることを警告することができる。
【００１９】
一方、抵抗レンジであっても被測定回路に電圧が印加されていない場合には、抵抗測定選択手段が動作するとともに、電圧検出手段又は、電圧検出手段及び接触判定手段はその機能が停止されるので、支障なく所定の抵抗測定を行うことができる。
【発明を実施するための最良の形態】
【００２０】
以下本発明の実施の形態を図面に基づき詳細に説明する。
【００２１】
図１は本発明の実施の形態に係るテスターを示す回路図である。同図に示すように、本形態に係るテスターは、２本の測定用リード線１ａ，１ｂを被測定回路Ｆにそれぞれ接触させることにより被測定回路Ｆの電圧、抵抗及び電流を測定し得るように構成したものである。このため、当該テスターには、測定レンジ１で選択する電圧測定モード、抵抗測定モード及び電流測定モードに対応して動作する電圧測定回路、抵抗測定回路、電流測定回路及び表示部等が内蔵されている。なお、これらの各回路等の構成は従来と変るところはないので図示は省略している。
【００２２】
抵抗レンジ検出部Ａは、測定レンジ１が抵抗を測定するための抵抗レンジになっていることを検出するもので、本形態の場合は、測定レンジ１が抵抗レンジになっている場合に機械的にオン状態となる接点ａ１を有するマイクロスイッチで構成してある。このマイクロスイッチは、ａ接点である接点ａ１とともに、接点ａ１とは逆の動作を行うｂ接点である接点ａ２も有している。ここで、接点ａ２は抵抗レンジ以外の電圧レンジ乃至電流レンジが選択されている場合に閉成されており、電圧測定回路乃至電流測定回路の形成に寄与する。
【００２３】
なお、抵抗レンジ検出部Ａは、同様の機能を有するものであれば、マイクロスイッチに限定するものでは勿論ない。例えば、リレーで構成することもできる。ただ、リレーで構成した場合には動作用の電源を内蔵しておく必要がある。
【００２４】
電圧検出部１０は、本形態の場合、最小動作電圧が内部電源ｅの出力電圧よりも高いコイルＶを有する電圧検出用リレーからなる。そして、抵抗レンジであることが検出されている場合、すなわち接点ａ１が閉成されている場合において、整流器Ｄを介して形成される閉回路Iにより電圧検出用リレーの最低動作電圧以上の電圧である被測定回路Ｆの印加電圧がコイルＶの両端に印加されることにより動作する。また、この動作により警報装置３２を動作させる。このことにより低インピーダンスの抵抗測定モードであるにもかかわらず誤って電圧が印加されている被測定回路Ｆに測定用リード線１ａ，１ｂが接続されていることを警告する。この警告により当該テスターを用いて所定の測定作業を行っている作業者は測定レンジ１を切替操作して電圧測定回路を選択することができる。
【００２５】
接触判定部２０は、本形態の場合、内部電源ｅと、これに直列に接続された最小動作電圧が内部電源ｅの出力電圧よりも低いコイルＢを有する接触判定用リレーとからなる。そして、抵抗レンジであることが検出されている場合、すなわち接点ａ１が閉成されている場合においては被測定回路Ｆに電圧が印加されていない場合であっても整流器Ｄを介して内部電源ｅの電圧に基づき被測定回路Ｆに測定用リード線１ａ，１ｂを接続することにより閉回路IIが形成され、コイルＢが付勢されることにより動作する。すなわち、測定用リード線１ａ，１ｂを被測定回路Ｆに接触させた場合には、常にこの状態を検出する。
【００２６】
抵抗測定選択部３０は、論理回路３１と、低インピーダンスのコイルＣ及びａ接点である接点ｃ１，ｃ４及びｂ接点である接点ｃ２，ｃ３を具備する抵抗測定回路接続用リレーと、抵抗測定用電源Ｅとを有している。
【００２７】
ここで、論理回路３１は、この部分を抽出して図２に示すように、３入力のアンド回路３１ａとインバータ３１ｂとを有しており、抵抗レンジ検出部Ａが抵抗レンジであることを検出している場合において、コイルＶが消勢され、且つコイルＢが付勢されている場合にアンド論理が成立する構成となっている。換言すれば、抵抗レンジであることを検出している場合において、被測定回路Ｆに電圧が印加されておらず抵抗測定選択部３０が不作動で、且つ接触判定部２０が測定用リード線１ａ，１ｂの被測定回路Ｆに対する接触を検出している場合にアンド論理が成立する。このアンド論理の成立によりこのことを表す抵抗測定モード信号Ｓ１が生成され、この抵抗測定モード信号Ｓ１に基づき抵抗測定用電源ＥによりコイルＣを付勢する。この結果、接点ｃ１が閉成されてコイルＣの動作が自己保持される。同時に、接点ｃ２の開放によりコイルＣ及びコイルＢが消勢されて電圧検出部１０及び接触判定部２０が当該テスターの回路から切り離される。かかる状態で、接点ｃ４及び測定用リード線１ａ，１ｂを介して閉回路IIIが形成され、抵抗測定用電源Ｅにより被測定回路Ｆの所定部位の抵抗を測定することができる。すなわち、閉回路IIIが低インピーダンスの抵抗測定回路となる。
【００２８】
図３は図１に示すテスターの動作手順を示すフローチャートである。同図に基づき本形態に係るテスターの動作シーケンスを説明する。なお、説明中の符号は図２に示すものの外、図１に示すものにも基づいている。
１）  測定レンジ１の使用レンジが抵抗レンジである場合、抵抗レンジ検出部Ａが動作する（ステップＳ１１，Ｓ１２参照）。
２）  １）の状態で測定用リード線１ａ，１ｂを被測定回路Ｆに接続する（ステップＳ１３参照）。
３）  この結果、閉回路I，IIが形成される（ステップＳ１４参照）。
４）  被測定回路Ｆの電圧の有無を検出する（ステップＳ１５参照）。
５）  被測定回路Ｆの電圧がある場合、電圧検出部１０のコイルＶ及び接触判定部２０のコイルＢが付勢される（ステップＳ１６，Ｓ１７参照）。
６）  コイルＶの付勢により警報装置３２が動作して警報を発する（ステップＳ１８参照）。
７）  測定用リード線１ａ，１ｂを被測定回路Ｆから外し、測定レンジ１を切替操作して使用レンジを電圧レンジに変更し、電圧測定を実施する（ステップＳ１９，Ｓ２０，Ｓ２１参照）。
８）  ステップＳ１５の判定の結果、被測定回路Ｆの電圧がないと判断された場合、電圧検出部１０のコイルＶは付勢されないが、接触判定部２０のコイルＢは内部電源ｅにより付勢されるので、論理回路３１のアンド論理が成立する（ステップＳ２２，Ｓ２３，Ｓ２４参照）。
９）  この結果、閉回路IIIを形成し、抵抗測定選択部３０のコイルＣを付勢して閉回路Ｉ，IIを解除するとともにコイルＣを自己保持する（ステップＳ２５，Ｓ２６，Ｓ２７，Ｓ２８参照）。
１０）  低インピーダンスの抵抗測定回路による抵抗測定を実施する（ステップＳ２９参照）。
１１）  測定レンジ１の使用レンジが電圧レンジである場合、高インピーダンスの電圧測定回路による電圧測定を実施する（ステップＳ１１，Ｓ２１参照）。
１２）  測定レンジ１の使用レンジが電流レンジである場合、低インピーダンスの電流測定回路による電流測定を実施する（ステップＳ１１，Ｓ３０参照）。
【００２９】
なお、上記実施の形態では、電圧検出部１０、接触判定部２０、抵抗測定選択部３０は何れもリレーを利用して構成したがこれに限るものではない。例えば、それぞれの機能を実現し得るものであれば、ハードウエアと組み合わせたソフトウエアとして実現することもできる。
【００３０】
また、上記実施の形態において接触判定部２０は測定用リード線１ａ，１ｂが被測定回路Ｆに接続されていることを検出し、この検出を論理回路３１の動作条件として利用することにより、被測定回路Ｆに電圧が印加されている場合には抵抗測定選択部３０が動作せず、したがって閉回路IIIを形成しないようにすることで誤って低インピーダンスの抵抗測定回路により地絡が発生するのを防止しているが、かかる地絡防止を他の構成で保障することができれば、必ずしもこのような構成とする必要はない。例えば、論理回路３１の論理の成立から一定時間遅延してコイルＣが付勢されるように構成し、この遅延期間を利用して電圧検出部１０の動作により抵抗測定モードであるにもかかわらず被測定回路Ｆに電圧が印加されていることを検出するとともに抵抗測定選択部３０の動作をロックしてしまうような構成とすれば接触判定部２０を省略することができる。この場合の論理回路３１は、抵抗レンジが選択されている状態で電圧検出部１０が不作動状態であることを条件として抵抗測定モード信号Ｓ１を生成すれば良い。
【産業上の利用可能性】
【００３１】
本発明は電気回路の電圧、抵抗等を測定するテスターを製造、販売する産業分野で有効に利用し得る。
【図面の簡単な説明】
【００３２】
【図１】本発明の実施の形態に係るテスターを示す回路図である。
【図２】図１の論理回路の具体的な回路構成を示す回路図である。
【図３】図１に示すテスターの動作手順を示すフローチャートである。
【符号の説明】
【００３３】
I，II，III      閉回路
１          測定レンジ
１ａ，１ｂ        測定用リード線
１０            電圧検出部
２０            接触判定部
３０            抵抗測定選択部
３１        論理回路
３２            警報装置
Ａ            抵抗レンジ検出部
Ｂ，Ｃ，Ｖ  コイル
Ｓ１            抵抗測定モード信号
Ｅ            抵抗測定用電源
ｅ            内部電源
Ｆ            被測定回路
【図１】
2008281371.tif 000003
【図２】
2008281371.tif 000004
【図３】
2008281371.tif 000005